(57)【特許請求の範囲】
【請求項１】
二つの明確なモード、プライミング前状態から始動するプライミングモード、及びプライミング後状態において作動する投与モード、において作動するように配置され、軸の方向に相隔たる遠位端（１１）及び近位端（１２）を有する、アセンブリを含んでなる、薬物送達デバイスであって、
−用量部材（２）；
−本体（４）；
−スリーブの形をした作動部材（３）；及び
−薬物を含有する組み立てカートリッジ（９）の栓（８）上に作用するように構成されるピストンロッド（７）；
を、含んでなり、
ここで、
−カートリッジ（９）またはカートリッジ（９）を含むカートリッジホルダ（１４）が本体（４）に可逆的又は不可逆的に固定され、
−プライミング前状態において、作動部材（３）が、作動部材（３）の動きが用量部材（２）の動きを引き起こすように、使用者によって動かされ、そして用量部材（２）の動きがピストンロッド（７）の動きを引き起こすように構成され、そしてプライミング前状態において、作動部材（３）が本体（４）に隣接し、そして本体（４）に対して可動であり、
ここで
−プライミング後の状態において、用量部材（２）が、薬物送達デバイスの設定及び投与動作を行なうために、作動部材（３）の動きを引き起こすことなく、遠位方向及び近位方向に使用者によって動かされるように構成され、そしてプライミング後の状態において、作動部材（３）が少なくとも軸の方向に本体（４）に固定される、
上記薬物送達デバイス。
【請求項２】
プライミング前状態において、作動部材（３）が第一の係合手段（１５）によって用量部材（２）と係合され、ここで第一の係合手段（１５）は、用量部材（２）及び作動部材
（３）が、作動部材（３）の動きによって係合解除されるように配置される、請求項１に記載の薬物送達デバイス。
【請求項３】
プライミング前の状態において、用量部材（２）が、動きの如何なる方向にも作動部材（３）に固定される、請求項１に記載の薬物送達デバイス。
【請求項４】
プライミング前の状態において、作動部材（３）が、相互連結手段によって用量部材（２）に固定され、ここで相互連結手段が軸の方向とは異なる空間方向に伸びており、そして作動部材（３）の動きによって、力が相互連結手段上にかけられ、その際に、相互連結手段と作動部材（３）及び用量部材（２）の少なくとも一つとの係合が解放され、そして用量部材（２）及び作動部材（３）が係合解除される、請求項１〜３の何れか一項に記載の薬物送達デバイス。
【請求項５】
作動部材（３）が第二の係合手段（１６）によって本体（４）に係合される、請求項１に記載の薬物送達デバイス。
【請求項６】
プライミング前状態において、第二の係合手段（１６）が本体（４）に対する作動部材（３）の回転又は螺旋運動を可能にするように備え付けられる、請求項５に記載の薬物送達デバイス。
【請求項７】
駆動部品（６）を更に含んでなる、請求項１〜６の何れか一項に記載の薬物送達デバイスであって、駆動部品（６）が、遠位方向へのピストンロッド（７）の動きを引き起こすように備え付けられ、ここで、
駆動部品（６）が、プライミング前状態において、作動部材（３）の動きが駆動部品（６）の第一の動きを引き起こすように構成され、そしてプライミング後状態において、駆動部品（６）が、使用者による用量部材（２）の如何なる動きによっても駆動部品（６）の第二の動きを引き起こすように、用量部材（２）に連結される、上記薬物送達デバイス。
【請求項８】
用量部材（２）が弾力エレメント（５）に係合され、ここで弾力エレメント（５）は、用量部材（２）及び作動部材（３）が作動部材（３）の運動中に係合解除されるとき、用量部材（２）と駆動部品（６）または本体（４）の間に直接配置され、そして用量部材（２）を作動部材（３）に対して突出させるように構成される、請求項１〜７の何れか一項に記載の薬物送達デバイス。
【請求項９】
用量部材（２）がその横の部分に作動領域（２０）を含み、ここでプライミング後状態において、設定動作及び投与動作を行なうために、作動領域（２０）が用量部材（２）の作動のために使用され、ここで、
プライミング前状態において、作動領域（２０）が少なくとも部分的にアセンブリの構成部材によって覆われる、請求項１〜８の何れか一項に記載の薬物送達デバイス。
【請求項１０】
作動部材（３）がスリーブである、請求項１〜９の何れか一項に記載の薬物送達デバイス。
【請求項１１】
投与モードにおいて、用量部材（２）は、薬物送達デバイス中に含まれるカートリッジ（９）中に含有される薬物の用量を設定することを可能にするために、軸の近位方向に可動であり、そして用量部材（２）は、その後、用量を投与することを可能にするために、本体（４）に対して軸の遠位方向に可動である、請求項１〜１０の何れか一項に記載の薬物送達デバイス。
【発明の詳細な説明】
【技術分野】
【０００１】
本発明は、二つの明確なモード、プライミングモード及び投与モード、において作動するように構成される薬物送達デバイス用のアセンブリに関し、そしてこのアセンブリを含む薬物送達デバイスに更に関する。本発明は更に、薬物送達デバイス、特に、前述の薬物送達デバイスをセットアップする方法に関する。
【背景技術】
【０００２】
薬物送達デバイスは、一般に、医薬品、特に、液体医薬品、例えば、インスリン又はヘパリン、そしてまた、患者による自己投与のための他の医薬品の投与のために使用されることが知られている。しばしば、薬物送達デバイスは、液体医薬品の事前に設定された用量を投与するペン型の注射器である。
【０００３】
薬物送達デバイスの最初の使用の前に、薬物送達デバイスは通常、プライミングされなければならない。プライミング工程中に、部品の間で薬物送達デバイス中に含まれるギャップ、特に、薬物送達デバイス中に含有される薬物の投与のための機構において含まれる部品の間のギャップ（例えば、ピストンロッドとカートリッジ栓の間のギャップ）が閉じられ得る。これらのギャップは、デバイスの製造を通して生じ得る全ての組み立て部分に関する許容誤差、及び組み立てデバイスにおいて軸方向に栓を事前装填しないという要求事項の結果であり得る。通常、薬物送達デバイスの機構において含まれる部品の間の全てのギャップ、特に、ピストンロッドとカートリッジ栓の間のギャップは閉じられる。しかしながら、或る実施態様において、ギャップを或る程度に減少させることも可能であり得る。プライミング工程を実施した後、デバイスは、使用者がここで、最初に投与された用量を含む、意図された用量を正確に投与できるように、プライミングされた状態にある。
【０００４】
そのような薬物送達デバイスの問題は、そのようなデバイスに慣れていない薬物送達デバイスの使用者が、最初の用量を投与する前に、デバイスをプライミングすることに失敗し得る又は不正確にプライミングし得ることである。もし、これが生じると、使用者は最初の用量においてプライミング流体を注射し得るか、または薬物の正確な容量が送達され得ない。特に、しばしば、使用者は用量の意図した注射の前に、自らがデバイスをプライミングし終わっているか否かを知らない。通常、不慣れな使用者は、デバイスを正確に使用する前に、自らがプライミング工程を実施しなければならないかどうかを知ることができない。
【発明の概要】
【発明が解決しようとする課題】
【０００５】
本開示の目的は、使用者に対してより優しい薬物送達デバイスにおいて使用するためのアセンブリを供することである。
【課題を解決するための手段】
【０００６】
この目的は、独立請求項の主題によって達成され得る。更なる特長は、従属請求項及び記述の主題である。
【発明の効果】
【０００７】
第一の態様によれば、薬物送達デバイス用のアセンブリが備え付けられる。アセンブリは、二つの明確なモード、プライミング前状態から始動するプライミングモード、及びプライミング後状態において作動する投与モード、において作動するように配置される。ア
センブリは、軸の方向に相隔たる遠位端及び近位端を有する。この態様によるアセンブリは、用量部材、作動部材、及び薬物を含有する組み立てカートリッジの栓上に作用するように構成されるピストンロッドを含む。プライミング前状態において、作動部材は、作動部材の動きによって用量部材の動きが引き起こされるべく、使用者によって動かされ、用量部材の動きによってピストンロッドの動きが引き起こされる。プライミング後状態において、用量部材は、薬物送達デバイスの設定動作及び投与動作を実施するべく、作動部材の動きを引き起こすことなく、使用者によって動かされるように構成される。
【発明を実施するための形態】
【０００８】
本発明によるアセンブリ、及びプライミング機構、並びに設定機構及び投与機構に各々含まれる部品によって、投与モードにおいて実施されるべき動作と比べて、プライミング工程において使用者によって実施されるべき区別された動作が可能になる。従って、使用者の注意は、薬物送達デバイスをプライミングする必要性に向けられ、そして使用者は、用量の設定及び投与の前の認識できる異なる動作を通して、デバイスをプライミングすることを強いられる。これによって、使用者がプライミング流体を注射することを思い留めさせることによって、そして、プライミング流体と患者のために意図された薬剤の用量とを区別することによって、プライミング工程に関連するリスクが軽減される。特に、プライミングするために要求される代替の操作は、意図的に着手することが困難であり、一方、デバイスは、例えば、両手による操作が要求されるであろうとき、本体中に挿入される。用量部材が可動であるか、特に、作動部材を動かすことなく、デバイスの遠位端と近位端の間で軸方向に可動であるか否かを定めると、使用者は、薬物送達デバイスがプライミングされた状態にあるか、またはプライミングされていない状態にあるかを容易に決定できる。
【０００９】
本発明による「プライミングモード」は、プライミング工程が実行される最中のモードを意味するものとする。通常、プライミングモード中には、設定動作も投与動作も不可能である。プライミングモードはプライミング前状態から始まり、そしてプライミング後状態で終わる。プライミングモードの完了時点で（つまり、プライミング後状態において）、アセンブリ又は薬物送達デバイスは、プライミング工程が完了したモードそして設定動作及び投与動作が実行され得るモードにもたらされている。
【００１０】
従って、本発明による用語「投与モード」は、通常、プライミングモードの際に直接、追随されるモード、つまり、プライミング後状態で投与モードが操作されるモードを意味するものとする。
【００１１】
デバイス、又はデバイスの部品若しくはアセンブリの「遠位端」は、デバイスの投与端に最も近い端部を意味するものとする。デバイス、又はデバイスのアセンブリ若しくは部品の「近位端」は、デバイスの投与端から最も遠くに離れている端部を意味するものとする。
【００１２】
本発明による「軸」は、近位端での点及び遠位端での点によって定義される軸を意味するものとする。これらの点は、例えば、用量部材の近位面の中心、及びカートリッジの遠位面、特に、針アセンブリを固定するためのネジ山を含むカートリッジ部分の遠位面の中心である。特に、そしてより詳細には、軸は、軸の交点及びデバイス又はアセンブリの直角の交叉面が、交叉面の幾何学的な中心又はこの中心の近くに置かれるように、デバイス又はアセンブリを通して近位端から遠位端に伸びる。
【００１３】
本発明による用語「用量部材」は、投与モードにおいて、そして特に、設定動作及び投与動作を立ち上げる、薬物送達デバイス内での部品の軸方向の動き（つまり、近位方向又は遠位方向への前述の軸に沿った動き）を生み出すように、使用者によって操作されるように設計された如何なる部品をも意味するものとする。
【００１４】
本発明による用語「作動部材」は、好ましくは、プライミングモード中に実質的に又は専用に使用され、そして通常、投与モード中に、設定動作及び投与動作において含まれない部品を意味するものとする。通常、作動部材は、プライミング工程を始めるために使用者によって操作されるであろう。作動部材は単体の物又は複数部品構造でもあり得て、そしてプライミング前状態においてそしてプライミングモードにおいて、そして通常、投与モードにおいても、使用者に対して完全に又は部分的に見ることができる。作動部材は、（遠位端と近位端の間で）軸が伸びる領域、つまり、アセンブリ又は薬物送達デバイスの中間部分（中央）に配置され得る。または、作動部材は薬物送達デバイス又はアセンブリの外面、つまり、横部分に配置され得て、そして前述の点の両方の間、つまり、中間位置にも配置され得る。作動部材はアセンブリ又は薬物送達デバイスの近位端を完全に覆い得る。しかしながら、通常、用量部材の近位面は使用者にとって、投与モードにおいてのみならずプライミング前状態及びプライミングモードにおいても見ることができるであろう。殆どの実施態様において、用量部材の近位端は薬物送達デバイスの近位端と等しくさえある。作動部材の動きを助けるために、プライミング前状態において作動部材の見ることができる表面はグリップエレメント、例えば、構造化された表面を含み得る。これらのグリップエレメントは投与モード中に見え得るか又は見えない。もし、それらのグリップエレメントが投与モード中に隠されるならば、特に、もし、作動部材が薬物送達デバイス内の真ん中又は中間の位置に配置されるならば、使用者は、プライミング工程が既に実行されたことを容易に理解できる。更に、グリップエレメントの、例えば、本体上に配置された対応するエレメント、又はハウジングの如何なる他の部品に対する非整列が、プライミング工程がまだ実施されていないことの指針として使用され得る。
【００１５】
本発明による用語「ピストンロッド」は、動き、特に、軸方向の動きを、薬物送達デバイスを通して移すように設計された部品を意味するものとする。好ましくは、ピストンロッドは、注射された製品、特に、液体医薬品を投与する目的で、動きを用量部材からカートリッジ中に留められる栓に移す。通常、ピストンロッドは、プライミング流体を投与する目的でも動きを移す。ピストンロッドの動きは、軸方向のみへの動き（つまり、前に定義された軸の方向への動き）であり得るが；しかしながら、軸方向へのピストンロッドの動きはその縦軸の周りのピストンロッドの回転も含む。ピストンロッドは可撓性であり得るか又はあり得ないし、そして単純なロッド、親ネジ、ラックピニオンシステム、ウオーム歯車システムなどであり得る。ピストンロッドは円形の又は非円形の断面を有し得る。それは当業者に公知の如何なる適する材料でも作られ得て、そして単体の物又は複数部品構造でもあり得る。実施態様において、ピストンロッドは、横に間隔を置いて配置されるリブ及び／又はぎざぎざの一連の一つ又はそれ以上のセットを含
【００１６】
アセンブリ又は薬物送達デバイス中に含まれるカートリッジは、投与されるべき医薬品の多くの用量を保持する。カートリッジは栓を留め、ピストンロッドの遠位方向への動きの際に、ピストンロッドは通常、栓に寄りかかり、そして薬物の用量の投与を引き起こす。
【００１７】
本明細書で使用する用語「薬物」は、好ましくは少なくとも１つの薬学的に活性な化合物を含む医薬製剤を意味し、
ここで一実施態様において、薬学的に活性な化合物は、最大で１５００Ｄａまでの分子量を有し、及び／又は、ペプチド、蛋白質、多糖類、ワクチン、ＤＮＡ、ＲＮＡ、抗体、酵素、抗体、ホルモン、若しくはオリゴヌクレオチド、又は上記の薬学的に活性な化合物の混合物であり、
ここで更なる実施態様において、薬学的に活性な化合物は、糖尿病、又は糖尿病性網膜症などの糖尿病関連の合併症、深部静脈又は肺血栓塞栓症などの血栓塞栓症、急性冠症候群（ＡＣＳ）、狭心症、心筋梗塞、癌、黄斑変性症、炎症、枯草熱、アテローム性動脈硬化症、及び／又は、関節リウマチの治療、及び／又は、予防に有用であり、
ここで更なる実施態様において、薬学的に活性な化合物は、糖尿病、又は糖尿病性網膜症などの糖尿病に関連する合併症の治療、及び／又は、予防のための、少なくとも１つのペプチドを含み、
ここで更なる実施態様において、薬学的に活性な化合物は、少なくとも１つのヒトインスリン、又はヒトインスリン類似体若しくは誘導体、グルカゴン様ペプチド（ＧＬＰ−１）、又はその類似体若しくは誘導体、又はエキセンジン−３又はエキセンジン−４、若しくはエキセンジン−３又はエキセンジン−４の類似体若しくは誘導体を含む。
【００１８】
インスリン類似体は、例えば、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；ヒトインスリンであり、ここで、Ｂ２８位におけるプロリンは、Ａｓｐ、Ｌｙｓ、Ｌｅｕ、Ｖａｌ又はＡｌａで代替され、そして、Ｂ２８位において、Ｌｙｓは、Ｐｒｏで代替されてもよく；Ａｌａ（Ｂ２６）ヒトインスリン；Ｄｅｓ（Ｂ２８−Ｂ３０）ヒトインスリン；Ｄｅｓ（Ｂ２７）ヒトインスリン、及びＤｅｓ（Ｂ３０）ヒトインスリンである。
【００１９】
インスリン誘導体は、例えば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイル ヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、及びＢ２９−Ｎ−（ω−カルボキシヘプタデカノイル）ヒトインスリンである。
【００２０】
エキセンジン−４は、例えば、エキセンジン−４（１−３９）、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ2配列のペプチドを意味する。
【００２１】
エキセンジン−４誘導体は、例えば、以下の化合物リスト：
Ｈ−（Ｌｙｓ）４−ｄｅｓＰｒｏ３６，ｄｅｓＰｒｏ３７エキセンジン−４（１−３９）−ＮＨ2；
Ｈ−（Ｌｙｓ）５−ｄｅｓＰｒｏ３６，ｄｅｓＰｒｏ３７エキセンジン−４（１−３９）−ＮＨ2；
ｄｅｓＰｒｏ３６［Ａｓｐ２８］エキセンジン−４（１−３９）；
ｄｅｓＰｒｏ３６［ＩｓｏＡｓｐ２８］エキセンジン−４（１−３９）；
ｄｅｓＰｒｏ３６［Ｍｅｔ（Ｏ）１４，Ａｓｐ２８］エキセンジン−４（１−３９）；
ｄｅｓＰｒｏ３６［Ｍｅｔ（Ｏ）１４，ＩｓｏＡｓｐ２８］エキセンジン−４（１−３９）；
ｄｅｓＰｒｏ３６［Ｔｒｐ（Ｏ２）２５，Ａｓｐ２８］エキセンジン−４（１−３９）；
ｄｅｓＰｒｏ３６［Ｔｒｐ（Ｏ２）２５，ＩｓｏＡｓｐ２８］エキセンジン−４（１−３９）；
ｄｅｓＰｒｏ３６［Ｍｅｔ（Ｏ）１４Ｔｒｐ（Ｏ２）２５，Ａｓｐ２８］エキセンジン−４（１−３９）；
ｄｅｓＰｒｏ３６［Ｍｅｔ（Ｏ）１４Ｔｒｐ（Ｏ２）２５，ＩｓｏＡｓｐ２８］エキセンジン−４（１−３９）；又は
ｄｅｓＰｒｏ３６［Ａｓｐ２８］エキセンジン−４（１−３９）；
ｄｅｓＰｒｏ３６［ＩｓｏＡｓｐ２８］エキセンジン−４（１−３９）；
ｄｅｓＰｒｏ３６［Ｍｅｔ（Ｏ）１４，Ａｓｐ２８］エキセンジン−４（１−３９）；
ｄｅｓＰｒｏ３６［Ｍｅｔ（Ｏ）１４，ＩｓｏＡｓｐ２８］エキセンジン−（１−３９）；
ｄｅｓＰｒｏ３６［Ｔｒｐ（Ｏ２）２５，Ａｓｐ２８］エキセンジン−４（１−３９）；
ｄｅｓＰｒｏ３６［Ｔｒｐ（Ｏ２）２５，ＩｓｏＡｓｐ２８］エキセンジン−４（１−３９）；
ｄｅｓＰｒｏ３６［Ｍｅｔ（Ｏ）１４，Ｔｒｐ（Ｏ２）２５，Ａｓｐ２８］エキセンジン−４（１−３９）；
ｄｅｓＰｒｏ３６［Ｍｅｔ（Ｏ）１４，Ｔｒｐ（Ｏ２）２５，ＩｓｏＡｓｐ２８］エキセンジン−４（１−３９）；
ここで、基−Ｌｙｓ６−ＮＨ2は、エキセンジン−４誘導体のＣ−末端と連結してもよく；
【００２２】
又は以下の配列のエキセンジン−４誘導体：
Ｈ−（Ｌｙｓ）６−ｄｅｓＰｒｏ３６［Ａｓｐ２８］エキセンジン−４（１−３９）−Ｌｙｓ６−ＮＨ2；
ｄｅｓＡｓｐ２８，Ｐｒｏ３６，Ｐｒｏ３７，Ｐｒｏ３８エキセンジン−４（１−３９）−ＮＨ2；
Ｈ−（Ｌｙｓ）６−ｄｅｓＰｒｏ３６，Ｐｒｏ３８［Ａｓｐ２８］エキセンジン−４（１−３９）−ＮＨ2；
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ2；
ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ2；
Ｈ−ｄｅｓＡｓｐ２８  Ｐｒｏ３６，Ｐｒｏ３７，Ｐｒｏ３８［Ｔｒｐ（Ｏ２）２５］エキセンジン−４（１−３９）−ＮＨ2；
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2；
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓ  Ｐｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ2；
ｄｅｓＭｅｔ（Ｏ）１４，Ａｓｐ２８，Ｐｒｏ３６，Ｐｒｏ３７，Ｐｒｏ３８  エキセンジン−４（１−３９）−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2；
Ｈ−Ａｓｎ−（Ｇｌｕ）５，ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2；
Ｈ−Ｌｙｓ６−ｄｅｓＰｒｏ３６［Ｍｅｔ（Ｏ）１４，Ｔｒｐ（Ｏ２）２５，  Ａｓｐ２８］エキセンジン−４（１−３９）−Ｌｙｓ６−ＮＨ2；
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ2；
Ｈ−（Ｌｙｓ）６−ｄｅｓ  Ｐｒｏ３６，Ｐｒｏ３７，Ｐｒｏ３８［Ｍｅｔ（Ｏ）１４，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ2；
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
又は前述のいずれかのエキセンジン−４誘導体の薬学的に許容可能な塩若しくは溶媒和物；
から選択される。
【００２３】
ホルモンは、例えば、ゴナドトロピン(ホリトロピン、ルトロピン、コリオンゴナドトロピン、メノトロピン)、ソマトロピン (ソマトロピン)、デスモプレッシン、テルリプレッシン、ゴナドレリン、トリプトレリン、ロイプロレリン、ブセレリン、ナファレリン、ゴセレリンなどのRote Liste、２００８年版、５０章に表示されている脳下垂体ホルモン又は視床下部ホルモン又は規制活性ペプチド及びそれらの拮抗剤である。
【００２４】
多糖類としては、例えば、ヒアルロン酸、ヘパリン、低分子量ヘパリン、又は超低分子量ヘパリン、若しくはその誘導体などのグルコアミノグリカン、又はスルホン化された、例えば、上記多糖類のポリスルホン化形体、及び／又は、薬学的に許容可能なその塩がある。ポリスルホン化低分子量ヘパリンの薬学的に許容可能な塩の例としては、エノキサパリンナトリウム塩がある。
【００２５】
薬学的に許容可能な塩は、例えば、酸付加塩及び塩基塩がある。酸付加塩としては、例えば、ＨＣｌ又はＨＢｒ塩がある。塩基塩は、例えば、アルカリ又はアルカリ土類金属、例えば、Ｎａ+、又は、Ｋ+、又は、Ｃａ2+から選択されるカチオン、又は、アンモニウムイオンＮ+（Ｒ１）（Ｒ２）（Ｒ３）（Ｒ４）を有する塩であり、ここで、Ｒ１〜Ｒ４は
互いに独立に、水素；場合により置換されるＣ１−Ｃ６アルキル基；場合により置換されるＣ２−Ｃ６アルケニル基；場合により置換されるＣ６−Ｃ１０アリール基、又は場合により置換されるＣ６−Ｃ１０ヘテロアリール基である。薬学的に許容される塩の更なる例は、“Remington's Pharmaceutical Sciences”17編、Alfonso R.Gennaro（編集），Mark
Publishing社，Easton, Pa., U.S.A.,1985 及び Encyclopedia of Pharmaceutical Technologyに記載されている。
【００２６】
薬学的に許容可能な溶媒和物としては、例えば、水和物がある。
【００２７】
実施態様によると、プライミング前状態において、作動部材は、第一の係合手段によって用量部材と係合される。第一の係合手段は、用量部材及び作動部材が（プライミングモード中に）作動部材の動きによって係合解除されるように配置される。
【００２８】
第一の係合手段は、通常、プライミング工程中の、用量部材に対する作動部材の動きの方向が、設定動作中及び投与動作中の用量部材の動きの方向と異なるように配置される。もし、例えば、設定動作中及び投与動作中の用量部材の動きが軸の方向の動きであるならば、プライミング工程中の、用量部材に対する作動部材の動きも、軸の周りの作動部材の回転又は専ら軸の周りの回転を含む。もし、薬物を設定しそして投与するために用量部材が投与モード中に専ら回転されるならば、プライミング工程中の、用量部材に対する作動部材の動きは、軸の方向の動きを含み、又は専ら軸の方向の動きである。
【００２９】
この実施態様による係合手段は、通常、作動部材の動きの際の用量部材の動きを直接、引き起こすように構成される。言い換えれば、用量部材及び作動部材は、もし、プライミング工程中の用量部材の動きが軸の方向の動きであるならば、係合手段によって、軸の方向への用量部材及び作動部材の動きが引き起こされるように、そして軸の周りの作動部材の回転が追加的に引き起こされるが、用量部材の回転が引き起こされないように構成され；従って、第一の係合手段は、作動部材及び用量部材が、作動部材及び用量部材の係合解除が起こる前に、前の例においては軸の方向に、「しばらくの間、一緒に走行する（travel）」ように構成される。従って、通常、第一の係合手段は（又は、第一の係合手段及び以下に述べる第二の係合手段の組合せは）、第一の方向への用量部材及び作動部材の共同の動き、及び第二の方向への作動部材のみの動きを引き起こすように構成され、ここで係合手段は、作動部材の第二の方向への或る距離だけの動きの際にのみ作動部材及び用量部材の係合解除が可能であるように更に構成される。
【００３０】
第一の係合手段は、作動部材に面する５の表面において、用量部材又は溝（groove）に面する作動部材の表面において溝を含み得る。対応する部分は、溝と相互作用するために、棒又はピボット又はそれに類似する何かを含有し得る。しかしながら、第一の係合手段は、溝又は類似するエレメント、及びこの溝又は溝状のエレメント内に噛み合っている対応する部分のエレメントである表面エレメントに制限されるものではなく、第一の係合手段は、作動部材及び用量部材の面する表面上の切りこみ（rabbet）、又はその部材などの面する表面に置かれていない案内エレメントも含み得る。
【００３１】
上述の実施態様の代替である実施態様において、用量部材は、プライミング前状態において、動きの如何なる方向にも作動部材に固定される。従って、プライミング工程の開始時期に、作動部材の動きによって、正確に同じ方向への用量部材の動きが引き起こされる、つまり、もし、その動きが回転及び遠位軸方向への動きを含むならば、両方の部材、作動部材及び用量部材、はこの動きを実行し：もし、その動きが遠位軸方向のみへの動きであれば、両方のエレメントは遠位軸方向のみへの動きを実行する。次いで、プライミング工程中に、用量部材から作動部材を解放する機構が始められ、その際、その後の設定動作及び投与動作において、用量部材は、作動部材をこの方向に動かすことなく、軸の方向に可動である。
【００３２】
実施態様において、前の段落において述べられた機構は、作動部材を用量部材に固定している相互連結手段を含む。通常、これらの相互連結手段は、軸の方向とは異なる空間方向に伸びる。プライミング工程中に、その上で作動部材及び用量部材の少なくとも一つとの相互連結手段の係合が解放され、そしてその上で用量部材及び作動部材が係合解除される、（例えば、コッターピン、ボルト又は類似物であり得る）これらの相互連結手段の上に力がかけられ、そしてその際に、用量部材が作動部材から独立して可動である。力は、例えば、作動部材（及び用量部材）の動き、例えば、軸の方向の動きの際に、この部品が相互連結手段に近づきその後、接触し、そして最終的に相互連結手段の上に力をかけ、その結果、相互連結手段を動かし、そして作動部材及び用量部材の係合解除するように配置された薬物送達デバイスの部品から生じる。力をかける原因となった部品の部分は、ふくらみ（bulge）を含み得る。該部品は、例えば、薬物送達デバイスに含まれる本体であり得て、それは、薬物送達デバイスの内部部分、特に、デバイスの真ん中又は中間部分に配置される、例えば、駆動機能又はピストンロッドの一部であり得て、そして力をかけるだけの目的を果たすように設計された、そして薬物の用量の設定及び投与のための機構に関与しない部品でもあり得る。
【００３３】
本発明のアセンブリは、（前の段落において既に述べられた通りの）本体を更に含み得る。本発明の更なる実施態様によれば、作動部材はこの本体に隣接し、そしてプライミング前状態において本体に対して可動である。
【００３４】
通常、作動部材は、投与モード中に本体に固定され、又は、作動部材が、設定動作及び投与動作中に実行される用量部材の動きの方向とは異なる方向にのみ本体に対して可動であるように、投与モード中に本体と少なくとも係合される。殆どの実施態様において、用量部材は、設定動作及び投与動作中に軸に対して遠位方向及び近位方向に動かされるであろうし、従って、作動部材は少なくとも軸の方向に本体に固定されるが、次いで軸の周りの回転を実行し得る。
【００３５】
少なくとも一つの方向への作動部材の本体への固定を可能にするために、本体及び作動部材は、その形が第一の係合手段に対して前述された通りに構成され得る第二の係合手段を含み得る。しかしながら、第二の係合手段も、プライミング工程中又はその終了時点で、作動部材及び本体の締め付けを可能にするように構成される。しかしながら、第二の係合手段の他に、上述の目的を果たす別のラッチ手段も存在し得る。
【００３６】
実施態様において、第二の係合手段は、プライミング工程中に使用者にとって見ることができる特定の動きを実行することを作動部材に強いるように構成される。上述の通り、本体に対する作動部材のこの動きは、通常、用量部材に対する作動部材の動きとは異なる。従ってこの実施態様によれば、第二の係合手段は、やはり薬物送達デバイスの内部部品の動きをもたらして、最終的に、プライミング液の投与を引き起こす作動部材の動きを引き起こす原因となる。通常、これらの第二の係合手段も、第一の係合手段の係合解除、及び作動部材に対する用量部材の解放をもたらす方向への動きである、プライミング流体の投与を引き起こす動きと比べて異なる方向への作動部材の動きの原因となる。
【００３７】
第二の係合手段は、例えば、プライミング前状態又はプライミングモード中、少なくともプライミング工程の開始時点において、本体に対する作動部材の回転又は螺旋の動きを可能にするように構成される。しかしながら、もし、プライミング液の投与を引き起こす用量部材の動き動きが軸の周りの回転であれば、第二の係合手段も、軸の方向のみへの、本体に対する作動部材の動きを可能にするように供され得る。
【００３８】
更なる実施態様によれば、本発明のアセンブリは駆動機能を更に含む。駆動機能は、ピストンロッドの動き、特に、遠位方向への動きを引き起こすために備え付けられる。駆動機能は、プライミング前状態において、又はプライミング工程中に、（通常、用量部材の上に作用し、次いでそれが駆動機能の上に作用する）作動部材の動きによって駆動機能の動きが引き起こされるように構成される。駆動機能は、プライミング後状態において、駆動機能が用量部材に連結される、つまり、設定動作及び投与動作を実行するための使用者による用量部材の如何なる動きによっても駆動機能の動きが引き起こされるように更に構成される。
【００３９】
本発明による用語「駆動機能」は、薬物送達デバイスのハウジングを通して／その中で働くように適合され、そして軸方向の動き又は時々薬物送達デバイスを通した／その中での回転も、好ましくは、用量部材からピストンロッドに、又は、プライミング工程中に、作動部材からピストンロッドにも移すように設計される如何なる部品をも意味するものとする。駆動機能は単体の物又は複数部品構造でもあり得る。実施態様において、駆動機能はピストンロッドと解放可能に係合される、つまり、駆動機能及びピストンロッドは、力又は動きが一つの方向にのみ移されるように相互作用する。
【００４０】
実施態様において、駆動機能は少なくとも一つのラック、つまり、リブ又はぎざぎざ又は歯車形態の歯又は該機能の組合せの直線的な列を有する部品を含み得る。薬物送達デバイスは、駆動機能中には置かれないで、そしてラックに対応して駆動機能中に置かれる更なるラックを含み得る；この更なるラック、駆動機能中のラック又は両者は可撓性であるか又は一つ又はそれ以上の方向に、通常、一つの方向に可動である。しかしながら、更なるラックは、通常、薬物送達デバイスの本体又は薬物送達デバイスのハウジングの別の部品に固定され、さらにまた内部ハウジングの少なくとも一部である。
【００４１】
本発明による用語「ハウジング」は、好ましくは、薬物送達デバイスの特定の部品の近位運動を防ぐための一方向性軸連結を有する如何なるハウジングをも意味するものとする。ハウジングは、薬物送達デバイス又はその機構の如何なる部品の安全で正確でそして快適な取り扱いを可能にするように設計され得る。通常、それは、液体、粉塵、ごみなどのような汚染物質への暴露を制限することによって、如何なる部品をも収容し、固定し、保護し、案内するように設計される。
【００４２】
更に、それは薬物送達デバイスの如何なる部品とも係合されるように設計され得る。ハウジングは単体の物又は複数部品構造でもあり得る。前述の通り、本体はハウジングの部品であり；更なる部品はカートリッジホルダであり得て；作動部材も、もし、作動部材が薬物送達デバイスの横の部分において配置されるならば、通常、ハウジングの部品である。
【００４３】
この実施態様によると、駆動機能は、通常、設定動作中に、動きの少なくとも一つの方向に、特に、用量部材の動きの方向に、用量部材に対して固定される。駆動機能はまた、投与モード中、動きの如何なる方向にも用量部材に固定され得る。
【００４４】
プライミング前状態において、駆動機能は、作動部材の動きが駆動機能の動きに移されるように構成される。これは上で概略述べられた通り、駆動機能及び用量部材の相互作用のためである；しかしながら、特定の実施態様において、駆動機能及び作動部材の直接的な相互作用も可能であり得る。
【００４５】
駆動機能及び用量部材の相互作用、又は用量部材への駆動機能の固定を可能にするために、第三の係合手段が供され得る。例えば、係合手段は、互いに面する用量部材及び駆動機能の表面の一つの上にふくらみ、及び他の部品の表面上に戻り止めを含み得る。もし駆動機能が作動部材と相互作用するならば、これら二つの部品の面する表面はしかるべく構成され得る。通常、プライミング工程中に、駆動機構に対する動き、例えば、近位方向への動きを実行することによって、用量部材は第三の係合手段によって駆動機能に固定されるであろう。例えば、第三の係合手段の二つの対応する部品は、駆動機構に対する用量部材の逆方向の動きがそれ以上不可能であるように相互作用し得る。
【００４６】
更なる実施態様において、本発明によるアセンブリは弾力エレメントを更に含む。弾力エレメントは用量部材と係合され、そして通常、プライミング前状態で圧縮された状態にあり、そして通常、プライミング後状態で圧縮されていない状態にある。弾力エレメントは、プライミング工程中、作動部材の運動中に、用量部材及び作動部材が係合解除されるとき、用量部材が作動部材に対して突出させるように構成される。
【００４７】
本発明による「弾力エレメント」は、好ましくは、圧縮された状態及び伸ばされた状態という異なる物質の状態にあり得るエレメントを意味するものとし、そして更にアセンブリの隣接する部品上に、少なくとも圧縮された状態又は伸ばされた状態の何れかにおいて力をかけ得る、特に、軸の方向に配置される隣接する部品上に力をかけ得るエレメントであり得る。弾力エレメントは如何なる材料でも、特に、如何なる金属材料でも作られ得る。弾力エレメントは、バネ、例えば、螺旋バネ及び片持ちバネ又は板バネに類似したバネであり得る；弾力エレメントは、用量部材を作動部材に対して突き出させるために使用できる、伸ばされた状態においてエネルギーの保存を可能にする弾性化合物も含み得る。
【００４８】
通常、弾力エレメントはアセンブリの真ん中部分又は中間部分に配置される。特に、弾力エレメントは、完全に又は部分的に用量部材の内部に配置され得る、つまり、それは用量部材の近位端の内面から用量部材の遠位端に伸び得る。弾力エレメントは、通常、用量部材と駆動機能の間に直接、配置される；しかしながら、他の部品の間の配置、例えば、本体と用量部材の間の配置も可能である。通常、弾力エレメントも、プライミング前状態において、用量部材及び駆動機能又は本体上に各々力をかけるであろう。弾力エレメントはただ一つの部分であり得て；それは複数部分の部品、例えば、板バネの形をした二つ又はそれ以上のバネのアセンブリでもあり得る。
【００４９】
本発明によると、アセンブリの内部での弾力エレメントの配置によって、プライミングがなされていない薬物送達デバイスからプライミングされた薬物送達デバイスを区別可能にする容易な方法が可能になる。用量部材がプライミング工程中に作動部材から突き出るとき、使用者はプライミングされたデバイスとプライミングがなされていないデバイスを容易に区別でき、そして突き出された用量部材を働くことによって、設定動作及び投与動作が実行され得ること知ることができる。もし、作動部材がプライミング前状態において用量部材によって部分的に覆われるならば、作動部材は使用者に対して、弾力エレメントの伸長後、「消える」ことさえあり得る。
【００５０】
実施態様において、弾力エレメントは、プライミング工程が実行されると直ぐにそれ以上その物質の状態（state of matter）を変えない、つまり、弾力エレメントは、設定動作及び投与動作中に、圧縮されず又は伸ばされない。しかしながら、設定モード及び投与モード中に、用量部材の動きに弾力エレメントが関与する追加の実施態様も可能である。追加の実施態様は、例えば、弾力エレメント自身が設定操作を行うプッシュープッシュ実施態様であり得て、そして使用者はボタンを押すことによって投与するだけである。一旦、ボタンが解放されると、弾力エレメント、例えば、バネによってかけられた力によってボタンが外側に押し戻され、次の用量が設定される。
【００５１】
本発明の更なる実施態様によると、用量部材はその横の部分において作動領域を含む。この作動領域は、用量部材を動かす（そしてそのことによって薬物の用量の送達を果たす）ための設定動作及び投与動作中に使用され得る。
【００５２】
作動領域は、より良い取り扱いのための、例えば、溝又はリブを含み得て、そして追加的に又は代替的に、設定動作及び投与動作中に、用量部材の動きを実行することを簡略化するように、例えば、指先のサイズを有するへこみ状構造に形成され得る。
【００５３】
実施態様において、作動領域は、プライミング工程中に、アセンブリの構成部材によって少なくとも部分的に覆われる。通常、作動領域は投与モードにおいて、アセンブリの如何なる部品によっても覆われない。従って、薬物送達デバイスの使用者は、プライミング前状態において、自らが作動領域全体を見ることができないので、又は、もし作動領域完全に覆われるならば、作動領域を全く見ることができないので、自らが設定動作及び投与動作を実施し得ないことを即座に理解するであろう。幾つかの実施態様によれば、プライミング前状態において、用量部材の横の表面全体が使用者にとって見られ得ないものではない。
【００５４】
本発明の更なる実施態様によれば、作動部材はスリーブである。もし、スリーブが作動部材として使用されるならば、本発明のプライミング機構は如何なる公知の薬物送達デバイスにも容易に適用され得て：スリーブは、既存の薬物送達デバイスの設計及び機構を実質的に変えることなく、この既存の薬物送達デバイスの表面上に配置され得る。基本的に、通常、係合手段のみ及び、必要ならば前述の相互連結手段も、スリーブの表面上に配置されなければならないし、そして他の部品はスリーブと相互作用しなければならない。
【００５５】
スリーブは一つの部分の部品であり得るが、多数の部分の部品でもあり得て；それは開口部、つまり透明部品を含み得て；それはスリーブの下方の隣接する部品を見えるようする如何なる領域もないようにも作られ得る。もし、開口部、つまり透明部品が含まれるならば、アセンブリ又は薬物送達デバイスは、使用者が、スリーブの下方の隣接する部品の表面から情報を得るように構成され得て、ここでその情報はプライミング前状態及び投与モードにおいて異なり、又はこれらの状態又はモードの一つにおいて存在しない。例えば、使用者は、自らがプライミング前状態においてデバイスをプライミングしなければならないという情報を見得て、そして同じ又は異なる開口部を通して、薬物送達デバイスが現在投与モードにあるという情報を見得る。
【００５６】
更なる実施態様によれば、前述の情報は、部品、特に、プライミング前状態において、スリーブ（又は、一般に作動部材）によって全く覆われていない、そして投与モード中に覆われる本体の表面上にも配置され得る。例えば、プライミング工程中に実行されるべき動きの方向を示している矢印が、作動部材によって覆われていないこの表面上に配置され得る。薬物送達デバイスは、矢印又は情報がこの領域において見える限り、デバイスがプライミングされていない状態にあるという情報も含み得る。
【００５７】
更なる実施態様によれば、本発明によるアセンブリは、投与モード中に、薬物の用量の設定を可能にするために、用量部材が軸の近位方向に可動であるように構成される。更に、この実施態様によれば、用量部材は、用量の投与を可能にするために、薬物の設定が実行された後、軸の遠近位方向に可動である。
【００５８】
通常、アセンブリ又は薬物送達デバイスは、設定動作中に、近位方向への動き又は遠近位方向への動きのどちらかが可能であるように、そして投与動作中に、逆方向への動きのみが可能であるように構成される。
【００５９】
更なる態様によれば、上述の通り、アセンブリを含む薬物送達デバイスが備え付けられる。
【００６０】
薬物送達デバイスは注射デバイスであり得る。薬物送達デバイスはペン型のデバイス、例えば、一回使用の又は複数回使用の注射器であり得るペン型の注射器であり得る。カートリッジは薬物の複数の用量を保持し得る。好ましくは、薬物は、持続性又は即効性のインスリン、ＧＬＰ−１、ヘパリン又は成長ホルモンのような液体薬剤を含む。薬物送達デバイスはそれが異なるサイズのカートリッジを収容し得るように設計され得る。追加として又は代替として、薬物送達デバイスは、それが異なる形のカートリッジを収容し得るように設計され得る。
【００６１】
カートリッジ又はカートリッジホルダは、連結手段によって本体に恒久的に固定され得る。例えば、連結手段は溶接によって接合され得る。追加として又は代替として、連結は接着剤のような別の連結材料の使用を含み得る。カートリッジホルダは、本体に可逆的又は不可逆的に固定され得て、またはカートリッジは、本体に直接的に固定され得て、そしてカートリッジホルダの使用は余分なものであり得る。
【００６２】
実施態様において、薬物送達デバイスは固定された用量のデバイスである。これはデバイスが、薬物の事前に与えられた、使用者が変更できない、例えば、一定の用量又は変更可能な容量を常に投与することを意味する。従って、薬物送達デバイスは、例えば、使用者によって同じ用量で常に投与されるべき薬物に対して使用され得る。特に、もし、薬物が固定された用量で常に投与されるべきであるならば、第一の用量が正確にその後の用量と同じ容量を有すること、そしてプライミング工程が正確に実行されることが都合がよい。一つの実施態様において、デバイスはペン型注射器である。
【００６３】
薬物送達デバイスは、カートリッジからの体内への針を用いた用量の送達のためのペン注射器を用いて使用され得る。注射器ペンは使い捨てのペン、例えば、使い捨ての固定された用量の注射器であり得る。しかしながら、本発明は使い捨ての固定された用量の注射器に限定されるものではなく；変更可能な容量ペン及び再使用可能なデバイスも可能である。
【００６４】
第三の態様によれば、薬物送達デバイスのセットアップ方法が備え付けられる。
【００６５】
本方法は以下の工程を含む：
Ａ）遠位端及び近位端を有する薬物送達デバイスを供すること、ここで遠位端及び近位端は軸の方向に相隔たる。更に、供された薬物送達デバイスは用量部材、初期に用量部材と連結される作動部材、及び薬物の少なくとも一つの用量を保持するカートリッジを含む。工程Ｂ）において、作動部材が動かされ、その際に、プライミング液体が投与され、そして用量部材からの作動部材の係合解除が引き起こされる。特に、本発明の第三の態様による薬物送達デバイスは、上述の通りの薬物送達デバイスであり、そして本明細書の前の部分において開示された通りのアセンブリを含む。
【００６６】
勿論、上記の異なる態様に関する特長は互いに組合せられ得る。更なる特長、利点、及び便宜は、添付図面と関連した例示的実施態様の以下の記述から明白になるであろう。
【図面の簡単な説明】
【００６７】
【図１Ａ】薬物送達デバイスのアセンブリの断面を示す。そして図１Ｂは図１Ａのアセンブリの外観図を示す。
【図２Ａ】プライミング前状態における、図１Ａのアセンブリを含む薬物送達デバイスの部分図の断面を示す。
【図２Ｂ】プライミングモード中における、図１Ａのアセンブリを含む薬物送達デバイスの部分図の断面を示す。
【図２Ｃ】プライミング後状態における、図１Ａのアセンブリを含む薬物送達デバイスの部分図の断面を示す。
【図３Ａ】用量を設定した後の、設定動作及び投与動作中の図２Ａ〜２Ｃの薬物送達デバイスの部分図の断面を示す。
【図３Ｂ】用量を投与した後の、設定動作及び投与動作中の図２Ａ〜２Ｃの薬物送達デバイスの部分図の断面を示す。
【図４Ａ】プライミング前状態における、使用者に対して見ることができるものとしての薬物送達デバイスを示す。
【図４Ｂ】プライミング後状態における、使用者に対して見ることができるものとしての薬物送達デバイスを示す。
【図４Ｃ】用量を設定した後の投与モードにおける、使用者に対して見ることができるものとしての薬物送達デバイスを示す。
【００６８】
同じ種類のエレメント及び同じように作用するエレメントには図において同じ参照符号が付与され得る。
【００６９】
図１Ａにおいて、薬物送達デバイス用のアセンブリが示される。アセンブリは、本体４、及び本体４に隣接するスリーブの形をした作動部材３を含む。この実施態様によるアセンブリを含む薬物送達デバイスのハウジングは、三つの主要な部分を含む：本体４、作動部材３及び（示されていない）カートリッジホルダ１４。アセンブリは遠位端１１Ｂ及び近位端１２を有する。近位端１２に用量部材２が配置される。用量部材２の横部分は作動部材３によって完全に覆われている。しかしながら、アセンブリの近位面で、用量部材２の近位部分を実質的に見ることができる。本体の外面は二つの主要領域、投与モードにおいて作動部材によって覆われた、（図の中ほどに置かれた）本体４の近位端からフランジ機能２４に伸びている部分を含む。薬物送達デバイスの組立中に、カートリッジホルダ１４が本体４の遠位端１１Ｂの横の部分上に押し付けられなければ、フランジ機能２４から本体の遠位端１１Ｂの遠位端に伸びている本体４の部分も、投与モード中に使用者にとって見ることができる。
【００７０】
プライミング工程中に、作動部材３は、遠位方向への更なる動きが全く可能でなくなるまで、フランジ機能２４に向かって動かされる。この動きのための案内エレメントとして、（完全には示されていない）第二の係合手段１６の一部であるスロット１７が使用される。用量部材２は、プライミング工程が実行された後、用量部材を（ハッチが付けられた領域として示された）駆動機能６に固定するように構成されている第三の係合手段１８を含む。用量部材の内部に、（螺旋バネの形態をした）弾力エレメント５が置かれる。バネの近位端に隣接して、用量部材の近位部分が置かれる。バネの遠位端に隣接して、駆動機構の近位部分が置かれる。駆動機能６は弾力エレメント５の遠位部分から歯車２６に伸びる。駆動機構の遠位領域において、リブ又はぎざぎざを見ることができる（それらは、歯車２６と相互作用するために配置されたピストンロッド７内の溝を通して見ることができる）。歯車２６はキャリアー２７を追加的に含む。アセンブリは、例えば、固定されたラックである内部ハウジング２５を更に含む。
【００７１】
一般に、本発明によれば、歯車は力又は動きを伝える部品、例えば、ラック又は別の歯車又は両者と共に使用される歯車を意味するものとする。本実施態様において、歯車はキャリアー２７内に搭載された平歯車である。
【００７２】
図１Ｂは図１Ａのアセンブリの外観図を示す。アセンブリはプライムされていない状態で示される。従って、作動部材３によって覆われる本体４の領域はその後見ることができる。この領域において、プライミング工程中の遠位方向への作動部材３の動きのための案内エレメントとして役立つスロット１７が置かれる（スロット１７は、完全には示されていない第二の係合手段１６の一部である）。このスロット１７又は溝は、プライミング工程中の本体に対する作動部材の螺旋運動を可能にするために、作動部材３によって覆われることになる本体４のこの部分の表面上に螺旋状に置かれる。
【００７３】
図２Ａ〜２Ｃは、プライミング前、プライミングモード中及びプライミング後の薬物送達デバイスの断面を示す。全ての図において、薬物送達デバイスの遠位部分は簡明を期すために省略されている。
【００７４】
図２Ａにおいて、図１Ａと比べて、栓８を留めるカートリッジ９を含むカートリッジホルダ１４が図１Ａのアセンブリに組立てられる。ふくらみの近位面１２Ｃとピストンロッド７の遠位面１１Ｐの間に、ギャップ１０を見ることができ、それは全ての組みたられた部分に関する許容誤差、及びデバイスの組み立て中において軸方向に栓を事前装填しないという要求事項の結果である。薬物送達デバイスがプライミング前状態にあるとき、可動ラックの形態を有する（ハッチが付けられた領域として示された）駆動機能６は、内部ハウジング２５に対して最も遠い近位方向におけるその位置に置かれる。この実施態様において、ハウジングは可動ラック（駆動機能６）に対して（平）歯車２６の反対側上に歯車及びぎざぎざを有する固定されたラックである。通常、用量投与ストロークよりも小さなプライミングストロークが意図され；従って、可動ラックである駆動機構は固定されたラック（内部ハウジング２５）に対して比例的に（pro-rata）近位位置において、その最も遠い位置から固定されたラックに対して遠位方向に向かっていくらか（some of the way）その走行を通して組立てられ得る。用量部材２は、それが回転できないが、例えば、スプライン係合のせいで駆動機能６に対して軸方向に動けるように駆動機能６に拘束される。用量部材２は、プライミング工程が少なくとも部分的に実行されるまで、それが作動部材３に対して軸方向に動けないように、第一の係合手段１５、例えば、溝中の取っ手によって拘束され；通常、用量部材２は、プライミング流体が投与された後まで拘束される。プライミング前状態において、用量部材２は使用者によるアクセスが阻害される作動部材３から突き出ない。駆動機能６は、それが作動部材３に対して遠位方向に初期に動くことができないように、棚２３よって、特に、作動部材３の内表面上に拘束される。螺旋バネである弾力エレメント５は、駆動機能６の近位端と用量部材２の近位端の内表面の間で圧縮される。作動部材３は（駆動機能６と比べて異なるようにハッチが付けられた領域として示された）本体４に対して最も遠い近位方向におけるその位置にあり、そして好ましくは、使用の前の機構のガタガタ音を防ぐために、そして予期せぬプライミングを防ぐことを助けるために作動部材３と本体４の間の位置に（示されていない）戻り止め機構によってその位置に保持される。如何なる追加の指標も使用者が見るために整列されるように作動部材３を正しいプライミング前の向きに保つことも望ましい。作動部材３は本体４中の溝１７を通して動くように（完全には示されていない）第二の係合手段１６によって拘束される。用量部材２に対して、作動部材３は回転でき、そして作動部材３の遠位方向への如何なる動きによっても、用量部材が軸方向に動き、続いて駆動機能６が遠位方向に動き、そして歯車２６により動きを移すことを介して、ピストンロッド７が遠位方向に動く結果となるであろう（プライミング液の投与をもたらす）。最後に、作動部材３は、剛直にそして恒久的に、例えば、（示されていない）クリップ機構を用いて本体４にロックされ得る。
【００７５】
デバイスをプライミングするために、使用者は、作動部材３の遠位端が図２Ａにおいて示されたフランジ機能２４に隣接する位置で終わる螺旋溝１７に沿って、本体４上に作動部材３をねじ込むことを可能にするために、本体４に向かって作動部材３を同時に捩じって押す。図２Ｂは、作動部材３の遠位端が本体４のフランジ機能２４と隣接する後の状況を示す。用量部材２は作動部材３と一緒に本体４に対して遠位方向に軸方向に走行するがそれと一緒に回転しない。棚２３は作動部材３を動きの如何なる方向にも本体４に固定する部品として役立ち得る。プライミング流体を送達するために、用量部材２の遠位面は駆動機能６を遠位方向に駆動して主駆動機構を前進させる。図２Ａにおいて存在するギャップ１０は消え、そして図２Ａに対して図２Ｂにおいては、ピストンロッド７の遠位端１１Ｐは栓８の近位端１２Ｃと隣接し、そして持っていかれるギャップ１０に加えて栓８は少しばかり前方に動く。図２Ｂにおける状況は、まだ圧縮された物質の状態にある弾力エレメント５、つまり、バネを示し、そして作動部材３と用量部材の係合解除が既に起こり始めている位置にある用量部材２及び作動部材３を互いに対して示す。
【００７６】
用量部材２及び作動部材３が互いに対して新しい向きを有するので、用量部材２及び作動部材３は係合解除され、そして（図２Ａにおいてのみ見ることができ、図２Ｂにおいてはもはや見ることができない）第一の係合手段１５は、用量部材２の作動部材３への拘束（restrain）をもはや引き起こさない。この係合のせいで、作動部材３は用量部材２が作動部材３に対して近位方向に軸方向に動くことを、もはや防がない。弾力エレメント５は、用量部材２がここで作動部材３から突き出るように伸びてそして用量部材２を近位方向に押す。用量部材２上に置かれる第三の係合手段１８、例えば、用量部材２上の取っては、例えば、戻り止めである、駆動機能６上に配置された対応する部分（明確化のために、駆動機能上に配置された対応する部分は全ての図において「１８」を付けられていない）に亘って滑り、その際、用量部材２及び駆動機能６は恒久的に一緒にロックされる。
【００７７】
図２Ｃにおいて、用量部材２が作動部材３から突き出した後の状況が見られ得る。用量部材２は第三の係合手段１８によって駆動機能６に恒久的にロックされる。図２Ｃは、伸ばされた物質の状態にある螺旋バネである弾力エレメント５を更に示し；バネ又はより一般的に弾力エレメント５は、通常、設定動作及び投与動作中にこの物質の状態において留まる。用量部材２の横部分はここで作動領域２０を使用者に見えるようにする。作動領域２０は、設定動作及び投与動作を使用者にとってより快適にするためのリブ及びぎざぎざを含む。
【００７８】
図３Ａ〜３Ｂは、設定動作中及び投与動作中の、つまり、プライミング工程が実行された後の物質の状態における、図２Ａ〜２Ｃの薬物送達デバイスを示す。再び、薬物送達デバイスの遠位端は簡明を期すために省略されている。
【００７９】
図３Ａは用量の設定が実行された後の状況を示す。用量部材２は使用者によって本体４に対して近位方向に引かれており、そして用量部材２に固定された駆動機能６も近位方向に動かされている。駆動機能６を近位方向に動かすことによって、歯車２６も近位方向に動かされ、そして歯車２６に固定されたキャリアー２７は、（図３Ａにおいて見ることができないが、図１Ａにおいては見ることができる）ピストンロッド７の内表面において配置されて近位方向に次のぎざぎざ上に締め付けられる。
【００８０】
図３Ｂは薬物を投与した後の状況を示す。用量部材２は遠位方向に押されており、そうすることによって駆動機能６を遠位方向に押す。この動きは６を介して、やはり遠位方向に動いて栓８を移動させそして薬剤の用量を送達させるピストンロッド７に移される。ピストンロッド７の定義された動きは、更なる係合手段と、ピストンロッド７の外面上に配置されたぎざぎざ３１との相互作用によって実現され得る。
【００８１】
図４Ａ〜４Ｃは、プライミング前状態（図４Ａ）、プライミング後状態（図４Ｂ）及び用量を設定した後状態（図４Ｃ）における、薬物送達デバイスの外観図を示す。
【００８２】
図４Ａにおいて、ペン注射器である薬物送達デバイス１のハウジングが見られ得る。遠位端１１に、カートリッジホルダ１４が配置され、それは送達されるべき薬物を含有するカートリッジを含む。カートリッジは、好ましくは、薬物の複数の用量を含有する。薬物は、好ましくは、液体薬剤、例えば、インスリン、つまり、即効性又は持続性のインスリン、ＧＬＰ−１、ヘパリン、又は成長ホルモンを含む。カートリッジホルダ１４中に含まれるカートリッジは、（明確には示されていない）膜によって覆われ得る出口を含み得る。薬物は、膜が突き通されるとき、出口を通してカートリッジから投与され得る。更に、薬物送達デバイス１は（明確には示されていない）針アセンブリ、例えば、ネジ山を、特に、薬物送達デバイス１の遠位端１１に置かれたカートリッジホルダ１４に固定する手段を含み得る。針アセンブリは、薬物送達デバイス１が操作されるとき、膜を突き通し得る。
【００８３】
ハウジングは、本体４及び作動部材３を更に含む。作動部材３の近位端は薬物送達デバイス１の近位端に一致する。フランジ機能２４と作動部材３の遠位端の間で、プライミング工程を実施した後で覆われる本体４の部分を見ることができる。この部分において、デバイスのプライミングが完全に実行されなければならないことを使用者に知らしめるために、符号又は銘刻２８が表面上に配置される。図４Ａにおいて、特別に、矢印が符号又は銘刻２８として示されている。最後に、プライミング工程の後、作動部材３によって覆われない本体４の表面上、また同様に作動部材３の表面上に、そろいの符号２９Ａ及び２９Ｂが配置される。
【００８４】
図４Ｂはプライミング工程が実施された後の状況を示す。そろいの符号２９Ａ及び２９Ｂは一緒に連続したモチーフ又は構造を示す。好ましくは、これらの符号はプライミング工程を実行するためのグリップとしても使用され得る（従って、好ましくはリブ及びぎざぎざ構造を有する）。薬物送達デバイス１の近位端１２で、用量部材２は作動部材３から突き出ており、そして作動領域２０を見ることができる。再び、設定動作及び投与動作を容易にするために、作動領域は幾つかのリブ及びぎざぎざを含む。
【００８５】
図４Ｃは用量が設定された後の薬物送達デバイスを示す。用量部材２は、図４Ｂにおける状況と比べて作動部材３から更に突き出ており；用量部材２は使用者によって近位方向に軸方向に引かれている。作動部材３は、この実施態様によれば、プライミング工程が、動きの如何なる方向にも本体４を作動部材３に固定することを含む故に、図４Ｂにおいてと同様、まだ固定されている。
【００８６】
本実施例及び実施態様は説明的であり制限的ではないと考えられるべきであり、そして本発明は本明細書に詳細に述べられたことに限定されるべきではなく、この範囲内及び添付された請求項の同等物の範囲内で修正され得る。
【符号の説明】
【００８７】
１  薬物送達デバイス
２  用量部材
３  作動部材
４  本体
５  弾力エレメント
６  駆動機能
７  ピストンロッド
８  栓
９  カートリッジ
１０ ギャップ
１１ 遠位端
１１Ｂ  本体の遠位端
１１Ｐ  ピストンロッドの遠位端
１２ 近位端
１２Ｃ  栓の近位端
１４ カートリッジホルダ
１５ 第一の係合手段
１６ 第二の係合手段
１７ スロット
１８ 第三の係合手段
２０ 作動領域
２３ 棚
２４ フランジ機能
２５ 内部ハウジング
２６ 歯車
２７  キャリアー
２８ 符号／銘刻
２９Ａ、２９Ｂ  そろいの符号
３１ ぎざぎざ
【図１Ａ】
0005883791.tif 000002
【図１Ｂ】
0005883791.tif 000003
【図２Ａ】
0005883791.tif 000004
【図２Ｂ】
0005883791.tif 000005
【図２Ｃ】
0005883791.tif 000006
【図３Ａ】
0005883791.tif 000007
【図３Ｂ】
0005883791.tif 000008
【図４Ａ】
0005883791.tif 000009
【図４Ｂ】
0005883791.tif 000010
【図４Ｃ】
0005883791.tif 000011